(57)【要約】【課題】目標物の配置パターンを容易に変更することができ、夜間でも打球の方向及び落下点を容易に確認することができ、積雪による影響を受けない、安価なゴルフ練習場用投影システムを提供する。【解決手段】楕円形領域内に画像が描かれたフィルタと、前記フィルタに光を照射して、ゴルフ練習場のグランド１２に前記画像を投影する投影機１とを備え、前記フィルタ上の前記楕円形領域が、グランド１２上に円形領域を形成するように投影される。【選択図】図２
2008104817.tif 000002
【特許請求の範囲】
【請求項１】
楕円形領域内に画像が描かれたフィルタと、
前記フィルタに光を照射して、ゴルフ練習場のグランド又は該グランドの周囲に配置されたネットに前記画像を投影する投影機とを備え、
前記フィルタ上の前記楕円形領域が、前記グランド上に又は前記ネット上に円形領域を形成するように投影されることを特徴とするゴルフ練習場用投影システム。
【請求項２】
光を遮断するマスク領域及び光を透過する透過領域を有して前記グランド面の一部を構成するスクリーンと、
前記スクリーンの背面から前記透過領域に光を照射する投光器とを更に備えることを特徴とする請求項１に記載のゴルフ練習場用投影システム。
【請求項３】
前記グランド面の平均傾斜角が３．０°の仰角であり、
前記投影機が、
前記楕円領域の長軸長ｄ１と短軸長ｄ２との比である縦横比ｄ１／ｄ２が４６％である前記フィルタを用い、打席から水平方向に２０ヤード（１８．３ｍ）の前記グランド面上の位置に投影する場合、前記投影機の光軸と前記グランド面とのなす角度α、及び前記投影機からの光の照射角度βをそれぞれ３０°〜３８°及び１６°に設定され、
前記楕円領域の前記縦横比ｄ１／ｄ２が２７％である前記フィルタを用い、前記打席から水平方向に４０ヤード（３６．６ｍ）の前記グランド面上の位置に投影する場合、前記角度α及び前記角度βをそれぞれ２０°〜１６°及び５°に設定され、
前記楕円領域の前記縦横比ｄ１／ｄ２が１９％である前記フィルタを用い、前記打席から水平方向に６０ヤード（５４．９ｍ）の前記グランド面上の位置に投影する場合、前記角度α及び前記角度βをそれぞれ１３°〜１１°及び２°に設定され、
前記楕円領域の前記縦横比ｄ１／ｄ２が１４％である前記フィルタを用い、前記打席から水平方向に８０ヤード（７３．２ｍ）の前記グランド面上の位置に投影する場合、前記角度α及び前記角度βをそれぞれ１０°〜８°及び１°に設定され、又は
前記楕円領域の前記縦横比ｄ１／ｄ２が１２％である前記フィルタを用い、前記打席から水平方向に１００ヤード（９１．４ｍ）の前記グランド面上の位置に投影する場合、前記角度α及び前記角度βをそれぞれ８°〜６°及び０．８°に設定されることを特徴とする請求項１又は２に記載のゴルフ練習場用投影システム。
【請求項４】
前記ネットが遮光ネット又は防護ネットであることを特徴とする請求項１に記載のゴルフ練習場用投影システム。
【請求項５】
請求項１〜４の何れか一項に記載のゴルフ練習場用投影システムを備えたゴルフ練習場。
【発明の詳細な説明】
【技術分野】
【０００１】
本発明は投影システムに関し、より詳細には、グランド等に画像を投影して擬似的にゴルフ場のコースを再現するゴルフ練習場用投影システム及びゴルフ練習場に関する。
【背景技術】
【０００２】
一般に、ゴルフ練習場には、実際のコースを再現するために、グリーンやバンカー等の目標物が形成されている。形成されたグリーンを目標物として、利用者は打席からグランドに向けてゴルフボールを打ち放ち、実際のコースをイメージした練習を行うことができる。
【０００３】
下記特許文献１には、効果的な練習ができるゴルフ練習場が開示されている。このゴルフ練習場によると、グランド内の複数地点に任意に目標物を出現させることができ、変化に富んだグランド設定ができる。
【０００４】
また、通常のゴルフ練習場には、打球が外部に飛び出すのを防止するための防護ネットが、グランドの周囲を囲むように設置されている。防護ネットはゴルフ練習場を広く覆い、高く設置されており遠くからでもよく見えて目立つので、ゴルフ練習場の防護ネットに広告物を設置する（以下、広告を施すとも記す）ことが考案されてきた。
【０００５】
例えば、下記特許文献２には、合成樹脂製ネットに広告などを施す装飾方法が開示されている。この装飾方法によると、筒状部材またはテープ材を、ネットの線状部に直接取り付けるようにしているので、ゴルフ練習場などに設けられている広い面積を有するネットに広告を容易に施すことができる。
【特許文献１】特開平６−１８２０１４号公報
【特許文献２】特開平５―３３９８５８号公報
【発明の開示】
【発明が解決しようとする課題】
【０００６】
しかしながら、従来のゴルフ練習場では、目標物が練習場内に固定的に形成されていることから、目標物の配置パターンが限定され、利用者が多様な練習を行うことができないという問題がある。また、既存の練習場の改装にはグリーンの造成といった多くの時間と費用が掛かる作業が必要であるために、目標物の配置パターンを容易に変更することができないという問題がある。
【０００７】
上記特許文献１に開示されたゴルフ練習場では、目標物の配置パターンを容易に変更することができるが、映写機又は目標物を設置するためにグランド内の地中に凹部又は収納室を設ける必要があるため、改装に掛かる初期投資が高額となる。
【０００８】
また、目標物の配置パターンを容易に変更することができる、上記特許文献１に開示されたゴルフ練習場であっても、夜間のゴルフ練習場ではグランドを照らす光量が不足するため、打球の方向及び落下点の確認がしづらいという問題がある。
【０００９】
また、従来のゴルフ練習場では、降雪量の多い地域では、グランド上の積雪によって目標物を視認することができなくなるという問題がある。
【００１０】
また、ゴルフ練習場の防護ネットに配置される従来の広告手段（上記特許文献２等）は、夜間に有効な広告手段ではない。夜間にも広告としての機能を持たせるには、照明装置を用いてライトアップする必要があるという問題がある。
【００１１】
また、上記特許文献２に開示された合成樹脂製ネットの装飾方法では、広告を施すための初期投資、及び広告物を変更する際の費用が高額となり、広告物を容易に変更することができないという問題がある。
【００１２】
また、上記特許文献２の広告手段では、広告物が経年変化により劣化し、表示品質が低下するという問題がある。
【００１３】
本発明は上記課題を解決するためになされたものであり、その目的は、目標物の配置パターンを容易に変更することができ、夜間でも打球の方向及び落下点を容易に確認することができ、積雪による影響を受けない、安価なゴルフ練習場用投影システム及びそれを備えたゴルフ練習場を提供することにある。
【００１４】
また、本発明の別の目的は、防護ネット上に夜間に有効な広告を安価に施すことができ、広告内容を容易に変更することができ、経年変化による広告の表示品質の劣化が生じないゴルフ練習場用投影システム及びそれを備えたゴルフ練習場を提供することにある。
【課題を解決するための手段】
【００１５】
上記目的の達成のために、本発明に係るゴルフ練習場用投影システムは、楕円形領域内に画像が描かれたフィルタと、前記フィルタに光を照射して、ゴルフ練習場のグランド又は該グランドの周囲に配置されたネットに前記画像を投影する投影機とを備え、前記フィルタ上の前記楕円形領域は、前記グランド上に又は前記ネット上に円形領域を形成するように投影される。
【００１６】
前記ゴルフ練習場用投影システムは、光を遮断するマスク領域及び光を透過する透過領域を有して前記グランド面の一部を構成するスクリーンと、前記スクリーンの背面から前記透過領域に光を照射する投光器とを更に備えることができる。
【００１７】
また、前記グランド面の平均傾斜角は３．０°の仰角であり、前記投影機は、前記楕円領域の長軸長ｄ１と短軸長ｄ２との比である縦横比ｄ１／ｄ２が４６％である前記フィルタを用い、打席から水平方向に２０ヤード（１８．３ｍ）の前記グランド面上の位置に投影する場合、前記投影機の光軸と前記グランド面とのなす角度α、及び前記投影機からの光の照射角度βをそれぞれ３０°〜３８°及び１６°に設定され、前記楕円領域の前記縦横比ｄ１／ｄ２が２７％である前記フィルタを用い、前記打席から水平方向に４０ヤード（３６．６ｍ）の前記グランド面上の位置に投影する場合、前記角度α及び前記角度βをそれぞれ２０°〜１６°及び５°に設定され、前記楕円領域の前記縦横比ｄ１／ｄ２が１９％である前記フィルタを用い、前記打席から水平方向に６０ヤード（５４．９ｍ）の前記グランド面上の位置に投影する場合、前記角度α及び前記角度βをそれぞれ１３°〜１１°及び２°に設定され、前記楕円領域の前記縦横比ｄ１／ｄ２が１４％である前記フィルタを用い、前記打席から水平方向に８０ヤード（７３．２ｍ）の前記グランド面上の位置に投影する場合、前記角度α及び前記角度βをそれぞれ１０°〜８°及び１°に設定され、又は前記楕円領域の前記縦横比ｄ１／ｄ２が１２％である前記フィルタを用い、前記打席から水平方向に１００ヤード（９１．４ｍ）の前記グランド面上の位置に投影する場合、前記角度α及び前記角度βをそれぞれ８°〜６°及び０．８°に設定されることができる。
【００１８】
また、前記ネットは遮光ネット又は防護ネットであることができる。
【００１９】
また、本発明に係るゴルフ練習場は、前記ゴルフ練習場用投影システムを備えることを特徴とする。
【発明の効果】
【００２０】
本発明によると、ゴルフ練習場の目標物の配置パターンを短い時間間隔で容易に変更することができるので、利用者が多様な練習を行うことができる。
【００２１】
また、目標物の画像を投影することは、グランド及び目標グリーンをライトアップすることになるので、利用者が打球の方向及び落下点を容易に確認することができる。
【００２２】
また、目標物の画像をグランドに直接投影するため、積雪による影響を受けにくい。即ち、グランドの積雪表面に目標物の画像を投影することもできるので、降雪量の多い地域においても安定してゴルフ練習場を運営することができる。
【００２３】
また、グリーンやバンカー等を造成してゴルフ練習場を改装する際に掛かる費用よりも安価に導入することができる。
【００２４】
また、投影される目標物の画像には経年変化や劣化が無いため、ゴルフ練習場の維持管理費用を低額にすることができる。
【００２５】
また、広告用の画像を防護ネット上に直接投影するため、夜間に有効な広告手段を提供することができる。
【００２６】
また、防護ネット上に画像を投影することにより広告を提供するため、グランドへの投影システムを用いることができ、広告用のフィルタのみを用意すればよいので、広告を施すための初期投資を低額にすることができる。
【００２７】
また、広告物を変更する場合、フィルタのみを変更すればよいので、費用を低額にすることができ、広告内容を容易に変更することができる。
【発明を実施するための最良の形態】
【００２８】
以下、本発明の実施の形態を、添付の図面を参照して詳細に説明する。尚、以下の説明及び図面において、同じ符号は同じ又は類似の構成要素を示すこととし、よって、同じ又は類似の構成要素に関する説明を省略する。
【００２９】
図１は、本発明の実施形態に係るゴルフ練習場用投影システムの構成を示すブロック図である。図１に示すように、本ゴルフ練習場用投影システムは、投影機１と、投光器２と、照明装置３と、制御装置４と、制御装置４に接続され、記憶装置５を有するコンピュータ６とを備えている。投影機１と、投光器２と、照明装置３とは、制御用ネットワーク、例えば、照明用の通信規格であるＤＭＸ５１２を介して、制御装置４に接続されている。
【００３０】
制御装置４は、コンピュータ６から送信されるデータを受信して、制御用ネットワークに接続された投影機１、投光器２、及び照明装置３にそれぞれを制御するための信号を送信する。照明装置３はゴルフ練習場のグランドを照らす環境照明を提供し、例えば、既存の投光器や既存の照明器具を含んで構成される。コンピュータ６はＣＰＵ及びメモリを備え、オペレータによって操作されて、記憶装置５に予め記録されたデータに基づき、制御装置４を通じて、後述するように目標物の画像を投影する距離に応じて投影機１の制御を行う。
【００３１】
本発明の実施形態に係るゴルフ練習場用投影システムは、近距離と遠距離とで異なる機能を有している。先ず、近距離での機能を以下に説明する。
【００３２】
図２は、本発明の実施形態に係るゴルフ練習場用投影システムの投影機１が、ゴルフ練習場に設置された状態を示す側面図である。図２では、投影機１は、ゴルフ練習場の打席１１の３階の天井に配置されている。
【００３３】
投影機１は目標物の画像が描かれた複数の円形フィルタ（ゴボ）と、円形フィルタが搭載される回転ホイールとを備えている。投影機１には、例えばＣｏｌｏｒＳｐｏｔ１２００ＡＴ（ＲＯＢＥ社製）を使用する。ＣｏｌｏｒＳｐｏｔ１２００ＡＴは、パン角度５３０°及びチルト角度２８０°で光を投影することができる。
【００３４】
図２に示すように、投影機１は、所定のパン角度及びチルト角度で、１つの円形フィルタに描かれた目標物の画像をグランド１２上に投影する。このとき、投影された画像１０の外周形状が、グランド１２の真上方向から見て、直径ｄの円形となるように、投影機１からの投射光の光軸１５とグランド１２とのなす角度αと、投影機１からの光の照射角度βとに応じた縦横比の値で目標物の画像が描画された円形フィルタ（詳細は後述する）が、複数の円形フィルタの中から選択される。ここで、照射角度βは、グランド面に投影された円の直径の両端の各々と投影機とを結ぶ２本の線の成す角度であり、投影された画像１０が直径ｄの円形となるように決定されるため、投影機１が照射する光の開き角度とは必ずしも一致しない。円形フィルタに描かれた目標物の画像を、例えば、打席から約１００ヤード（約９１．４ｍ）までの領域中に約２０ヤード（約１８．３ｍ）毎に、円形フィルタを適宜選択しながら投影する。
【００３５】
尚、説明を簡単にするために、図２には、打席１１から約６０ヤード（約５４．９ｍ）までの領域についてしか記載していないが、投影機１は、約６０ヤードを越えて画像を投影することができる。
【００３６】
図３は、本発明の実施形態に係るゴルフ練習場用投影システムの投影機１で使用する、目標物の画像が描かれた３枚の円形フィルタを示す平面図である。図３に示すように、投影機１が備える円形フィルタ１６には目標物の画像１７が描かれており、図３の上下方向が、打席からグランドの奥へ向かう方向になるように目標物の画像１７が投影される。円形フィルタ１６の、目標物の画像１７以外の領域は、光が透過しないように、例えば、黒く設定されている。目標物の画像１７は、グランド１２面上において円形で表示されるように、目標物の源画像から変換されて生成されたものである。即ち、目標物の源画像を、投影距離（即ち角度α）に応じた縦横比の楕円形に射影した画像である。ここで、縦横比は、図３に示したように、楕円形の目標物の画像１７の短軸の長さｄ１と、長軸の長さｄ２とを用いて、ｄ１／ｄ２で表される。投影距離が異なる複数の場所に投影するためには、各々縦横比が異なる画像が描かれた複数枚の円形フィルタが、投影機１の回転ホルダーに搭載される。図３に示したように、長軸の長さｄ２は投影距離に依らず一定であるが、高さｄ１は投影距離が２０ヤード、４０ヤード、６０ヤードと長くなるにつれて小さくなる。円形フィルタ１６に描かれる目標物の画像１７には、グリーン、バンカー、及びウォーターハザード等の実際のコースをイメージさせる臨場感のあるカラー画像が好ましい。また、源画像として写真を用いてもよく、源画像から変換するのではなく、上記した楕円形に収まる図形を直接生成してもよい。
【００３７】
表１に、本発明の実施形態に係るゴルフ練習場用投影システムの投影機が設置される、水平面１３からの高さｈを１１ｍ、グランド面の平均傾斜角θを３．０°の仰角、投影された目標物の画像の直径ｄを１０ｍとする場合の、目標物の画像の投影距離に応じた各パラメータ（角度α、角度β、縦横比ｄ１／ｄ２）の最適値を示す。
【００３８】
【表１】
2008104817.tif 000003
【００３９】
例えば、打席からの距離が約４０ヤードのグランド上に目標物の画像を投影する際には、図１中に示すコンピュータ６は、図２中に示す角度α＝１８（°）及び角度β＝５（°）のデータ及び円形フィルタの識別番号（縦横比ｄ１／ｄ２＝２７（％）の目標物の画像が描かれた円形フィルタに対応する）を制御装置４に送信して、制御装置４が、制御用ネットワークを介して、角度α、角度β、及び円形フィルタの識別番号のデータを含む制御用の信号を投影機１に送信し、投影機１は、照射する光軸１５の角度α及び角度βを設定し、回転ホイールに備えられた、縦横比ｄ１／ｄ２＝２７（％）の目標物の画像が描かれた円形フィルタを選択して投影する。同様に、コンピュータ６は、制御装置４を介して照明装置３にＯＦＦ信号を送信して、グランド１２上の約４０ヤード付近を照らす照明装置３を消灯する。照明装置３を部分的に消灯することで、目標物の画像が投影される周囲の領域が暗くなるので、目標物の画像の視認性を向上させることができる。
【００４０】
このように、オペレータはコンピュータ６を操作して投影位置を指定するだけで、グランド１２面への目標物の画像の投影を再現することができる。また、コンピュータ６を用いて制御することで、投影する目標物の画像のパターンを短い時間間隔で変更することができ、例えば、約５分間隔で投影する目標物の画像のパターンを変更することができるので、利用者は種々の目標物で多様な練習を行うことができる。
【００４１】
以上、本発明の実施形態に係るゴルフ練習場用投影システムの近距離での機能について説明し、表１には、打席からの距離が約１００ヤードまでの最適な値が示されている。しかしながら、打席１１からの距離が約１００ヤード以上の奥深い領域（後述する図６中の領域Ｂを参照）では、打席１１の天井に配置された投影機１からグランド上に目標物の画像を円形に投影することは困難となる。
【００４２】
そこで、本発明の実施形態では、例えば、ゴルフ練習場の約１００ヤード以上約３００ヤード（約２７４．３ｍ）以下の領域に、投光器２を配置する。以下、投光器２を用いた本発明の実施形態に係るゴルフ練習場用投影システムの遠距離での機能について説明する。尚、遠距離での機能を担う機器によって構成される部分を遠距離用システム（本発明の実施形態に係るゴルフ練習場用投影システムの一部）と記す。
【００４３】
図４は、本発明の実施形態に係る遠距離用投影システムが、打席から約１００ヤード以上離れた領域Ｂに配置された状態を示す斜視図である。図５は、図４に示す領域Ａ付近を拡大して示す斜視図である。
【００４４】
図４及び図５に示すように、遠距離用の投影システムは、架台２２の上面に設けられたスクリーン２１と、スクリーン２１上に光２３を照射する２つの投光器２とを備える。架台の上面に設けられたスクリーン２１がグランド１２面の一部を構成する。スクリーン２１は、光２３を遮断するマスク領域２４と、光２３を透過する透過領域２５とを有し、マスク領域２４がグリーン、バンカー、ウォーターハザード等をイメージさせる形状に形成されている。従って、夜間にスクリーン２１の背面から光２３を投射することにより、透過領域２５の形状をユーザに視認させることができ、その形状に応じてグリーン、バンカー、ウォーターハザードなどをイメージさせることができる。投光器２は、緑色、黄色、青色等の目標物のイメージに応じた色で光２３を照射することができる。従って、透過領域２５の形状によらず、投射する光の色に応じて、グリーン、バンカー、ウォーターハザードなどをイメージさせることも可能である。また、投光器２には防水防塵処理が施されており、そのまま屋外で使用することができる。本実施形態においては、投光器２にＰＡＮＴＨＥＯＮ  ＯＳ  ＣＹＭ４００（ＧＲＩＶＥＮ社製）を使用する。
【００４５】
実際のゴルフ練習場では、約１００ヤード以上の領域のグランド面下部が駐車スペースとなっている場合が多く、その駐車スペースを有効に利用して架台２２を配置することができる。また、このように、架台２２の上面に設けられたスクリーン２１によりグランド１２表面の一部を構成することで、特許文献１に開示されたゴルフ練習場と比較して、練習場内のグランドに凹部を設ける必要が無い。また、コンピュータ６を用いて、投影機１が投影する目標物の画像の配置パターンの変化及び投光器２の投射する光の色の変化を連動させることで、複数の目標物のより多様な配置パターンを容易に提供することができる。
【００４６】
図６は、本発明の実施形態に係るゴルフ練習場用投影システムが適用されたゴルフ練習場の概要を示す斜視図である。図１〜図３では、１台の投影機を使用する場合について説明したが、ここでは、複数台の投影機を使用する場合について説明する。図６に示すように、本発明の実施形態に係るゴルフ練習場用投影システムが適用されたゴルフ練習場の、打席から約１００ヤード未満の領域には、２台の投影機により、人工芝が敷設されたグランド１２上に目標物の画像１４ａ及び１４ｂが投影されている。また、グランド１２内に実際に造成されているグリーン３２上にも、別の投影機からパターン画像１４が投影され、投影されたパターン画像１４はグリーン３２をライトアップする。さらに、別の２台の投影機により、グランド１２上には、打席からの距離に応じて、距離表示３３（４０Ｙ、８０Ｙ）が投影されている。グランドの周囲を囲むように遮光ネット３４が配置され、投影機は、遮光ネット３４上にゴルフ練習場のロゴマーク３５を投影することもできる。また、打席から約１００ヤード以上の領域Ｂには、遠距離用の投影システムにより、スクリーン２１上に所定の形状が表示されている。
【００４７】
以上、本発明の実施形態について説明してきたが、本発明は上記の構成に限定されるものではない。
【００４８】
上記ではゴルフ練習場用投影システムが、近距離での機能及び遠距離での機能の両方を有するように構成されている場合を説明したが、近距離での機能又は遠距離での機能の何れか一方を実現するように構成されていてもよい。
【００４９】
上記表１では最適な設定値を示しているが、グランド面に投影される目標物の画像がグランドの真上方向から見てほぼ円形であればよく、実際の設定値は表１に示した値の約±１０％の範囲内であればよい。例えば、角度αについては、αの最適な設定値が３４°の場合は実際の設定値が３０°〜３８°の範囲内であればよい。これは、投影機を設置する高さの許容範囲と解することもできる。
【００５０】
上記ではグランド上に通常の人工芝が敷設されている場合を説明したが、投影される目標物の画像の視認性を向上させるために、特殊なプライマー樹脂が塗布された人工芝を敷設してもよい。これにより、投影される目標物の画像の視認性が向上するので、投影距離を長くすることができる。
【００５１】
また、上記では屋外に建設される通常のゴルフ練習場の場合を説明したが、ゴルフ練習場はこれに限定されず、屋内型のゴルフ練習場であってもよい。例えば、ホテルの宴会場や屋内型の見本市会場等に本願発明のゴルフ練習場用投影システムを設置すれば、ゴルフ場のイメージを再現することができる。
【００５２】
また、上記ではグリーン、バンカー、及びウォーターハザード等の実際のコースをイメージさせる画像、又はロゴマーク等の画像を投影する場合を説明したが、任意の文字、図形、例えばスポンサーの広告等の画像が描かれた円形フィルタを作成して画像を投影してもよい。
【００５３】
また、上記では約２０ヤード毎に目標物の画像を投影する場合を説明したが、投影する距離に応じた縦横比の目標物の画像が描かれた円形フィルタを作成し、対応する距離で目標物の画像を投影してもよい。
【００５４】
また、上記ではグランド面の水平面に対する平均傾斜角が約３．０°である場合を説明したが、グランド面は水平又は他の任意の角度で傾斜していてもよい。その場合には、投影する距離に応じて、上記各パラメータ（角度α、角度β、縦横比ｄ１／ｄ２）をあらためて決定し、投影する距離に応じて円形フィルタを作成して目標物の画像を投影すればよい。グランド面に垂直な面、例えば打席から遮光ネット上に斜めに画像を投影する場合には、円形フィルタ上には、例えば、図３に示す円形フィルタを９０°回転させた縦長の楕円形画像が描かれていればよい。
【００５５】
また、上記では水平面からの高さが約１１ｍの位置に投影機が配置される場合を説明したが、投影機は任意の高さに配置されてもよい。その場合には、投影する距離に応じて、上記各パラメータ（角度α、角度β、縦横比ｄ１／ｄ２）をあらためて決定し、投影する距離に応じた円形フィルタを作成すればよい。
【００５６】
また、上記では楕円形の画像を投影してグランド面上に円形の画像を表示する場合を説明したが、円形フィルタ上の、距離に応じて決まる楕円領域の範囲内に収まる形状の画像を円形フィルタに形成し、これを使用してもよい。
【００５７】
また、上記では練習場の打席側からグランドの奥側へ向けて投影する場合を説明したが、これに限定されず、例えばグランドの奥側から打席側へ向けて投影してもよく、あるいはグランドの側面上方から投影してもよい。この場合にも、投影する距離に応じて、上記各パラメータ（角度α、角度β、縦横比ｄ１／ｄ２）をあらためて決定し、投影する距離に応じて円形フィルタを作成して目標物の画像を投影すればよい。
【００５８】
また、上記ではグランドの周囲を囲むように配置された遮光ネット上にゴルフ練習場のロゴマーク等の画像を投影する場合を説明したが、遮光ネットの垂直延長上の、遮光ネットよりも高い位置（例えば、グランドから約１０ｍ以上の空間）に配置された防護ネット上に、広告用の画像を投影してもよい。広告用の画像を防護ネット上に投影する場合には、例えば、投影された画像がゴルフ練習場外から見て広告として正しく機能するように、即ち、文字などが正しく読み取れるように円形フィルタ上に画像が描かれていればよい。防護ネットは、打球が外部に飛び出すのを防止するために通常用いられる、網目の大きさが約３５ｍｍ以下のネットをそのまま使えばよい。
【００５９】
また、円形フィルタに描かれる広告用の画像は、使用する投影機の光学系、広告の対象者の位置、及び投影対象と投影機との位置関係に応じて適宜調節されればよい。例えば、文字などを含む左右対称でない図形の広告を投影する場合、ゴルフ練習場の内外の何れにいる人を対象とするかによって、使用する円形フィルタに描かれた画像の左右を反転させて描画しておくのが望ましい。
【００６０】
また、投影機の左右前方に位置する防護ネットの高い部分に投影する場合、投影機の設置位置がそれよりも低く、斜め上方に比較的大きな仰角で投影することになるので、源画像を斜め方向から圧縮して得られる楕円図形を円形フィルタに描画し、画像の水平・垂直方向が正常に表示されるように円形フィルタを適宜回転させて投影することが望ましい。
【図面の簡単な説明】
【００６１】
【図１】本発明の実施形態に係るゴルフ練習場用投影システムの構成を示すブロック図である。
【図２】本発明の実施形態に係るゴルフ練習場用投影システムの投影機がゴルフ練習場に設置された状態を示す側面図である。
【図３】本発明の実施形態に係るゴルフ練習場用投影システムの投影機で使用する目標物の画像が描かれた円形フィルタの平面図である。
【図４】遠距離用投影システムが打席から約１００ヤード以上離れた領域に配置された状態を示す斜視図である。
【図５】図４に示す領域Ａ付近を拡大して示す斜視図である。
【図６】本発明の実施形態に係るゴルフ練習場用投影システムが適用されたゴルフ練習場の概要を示す斜視図である。
【符号の説明】
【００６２】
１    投影機
２    投光器
３    照明装置
４    制御装置
５    記憶装置
６    コンピュータ
１０    投影された画像
１１    打席
１２    グランド
１３    水平面
１４    パターン画像
１４ａ  目標物の画像
１４ｂ  目標物の画像
１５    光軸
１６    円形フィルタ（ゴボ）
１７    目標物の画像
２１    スクリーン
２２    架台
２３    光
２４    マスク領域
２５    透過領域
３２    グリーン
３３    距離表示
３４    遮光ネット
３５    ロゴマーク
【図１】
2008104817.tif 000004
【図２】
2008104817.tif 000005
【図３】
2008104817.tif 000006
【図４】
2008104817.tif 000007
【図５】
2008104817.tif 000008
【図６】
2008104817.tif 000009